(57)【要約】【課題】  カムにより、シャッタの開閉動作及び閉じ位置での保持を行い、シャッタの開閉機構を簡素化する。【解決手段】  ディスクトレイを、ＣＤ再生時に本体ケース４内部に収納される収納位置と、外部に露出される露出位置との間で移動可能に設ける。本体ケース４の前面に、露出開口７を形成する。露出開口７の下方に、開閉スイッチを設ける。本体ケース４内部に、シャッタ１０を配設する。本体ケース４内部に、左支持板１４を取り付ける。左支持板１４に左ギアカム１７を回動可能に取り付ける。左ギアカム１７の左カム孔１７ａを、遮蔽位置に位置するシャッタ１０を変位不能に保持するように形成する。開閉スイッチを操作すると、制御部は、モータを駆動し、モータの駆動により、第１ギア、第２ギアを介して左ギアカム１７が回動し、シャッタ１０が開閉する。【選択図】        図８
2007012145.tif 000002
【特許請求の範囲】
【請求項１】
ディスクの着脱時に外部に露出される露出位置と前記ディスクの再生時に内部に収納される収納位置とで移動するディスクトレイと、前記ディスクトレイを移動させる移動手段と、前記ディスクトレイを外部に露出可能にする露出開口が形成された本体ケースと、を備えたディスクプレーヤにおいて、
前記本体ケース内部に設けられ、前記露出開口を開放する開放位置と前記露出開口を遮蔽する閉位置とで開閉するシャッタと、
前記シャッタを開閉可能に支持する支持部材、及び前記シャッタを開閉させる変位可能なカムを有する開閉手段と、
前記シャッタを開閉するために操作する開閉スイッチと、を備え、
前記開閉手段は、前記開閉スイッチが操作されたことに応答して、前記カムを変位させて前記シャッタを開閉させることを特徴とするディスクプレーヤ。
【請求項２】
前記カムは、前記シャッタが前記閉位置に位置するときに、前記シャッタを開閉不能に保持することを特徴とする請求項１記載のディスクプレーヤ。
【請求項３】
前記シャッタの位置を検出するシャッタ位置検出手段を備え、
前記移動手段は、前記開閉スイッチが操作されたときには、前記シャッタ位置検出手段で前記シャッタが前記開放位置に位置することが検出されたことに応答して、前記ディスクトレイを移動させることを特徴とする請求項１または２記載のディスクプレーヤ。
【請求項４】
前記ディスクトレイの位置を検出するトレイ位置検出手段を備え、
前記開閉手段は、前記開閉スイッチが操作されたときには、前記トレイ位置検出手段で前記ディスクトレイが前記収納位置に位置することが検出されたことに応答して、前記シャッタを開閉させることを特徴とする請求項１ないし３いずれか１つ記載のディスクプレーヤ。
【請求項５】
前記シャッタは、前記閉位置に位置するときに前記露出開口に挿入される挿入部を有することを特徴とする請求項１ないし４いずれか１つ記載のディスクプレーヤ。
【請求項６】
前記カムは、前記シャッタを前記閉位置から前記開放位置に開放させるときに、前記シャッタを後方に移動させた後に回動させることを特徴とする請求項１ないし５いずれか１つ記載のディスクプレーヤ。
【発明の詳細な説明】
【技術分野】
【０００１】
本発明は、ディスクに記録された情報の再生や記録を行うディスクプレーヤに関するものである。
【背景技術】
【０００２】
ＣＤプレーヤ、ＤＶＤプレーヤ等のディスクプレーヤには、ＣＤ、ＤＶＤなどの光ディスクが記憶媒体として用いられている。これらのディスクプレーヤでは、光ディスクを装填するディスクトレイを、本体ケースに対して移動自在に組み込み、光ディスクの着脱時にはディスクトレイを本体ケース外に引き出し、使用時にはディスクトレイを本体ケース内に格納するように構成される。このため、本体ケースの前面パネルには、ディスクトレイを本体ケース外に露出するための露出開口が形成されている。
【０００３】
ディスクプレーヤの内部には、精密部品が多数組み込まれており、上記した露出開口から異物や塵埃が侵入した場合には、故障することがある。このため、ディスクトレイを本体ケース内に格納した状態では、シャッタにより露出開口を遮蔽している。一般的には、ディスクトレイの前面を露出開口と一致するように形成し、ディスクトレイの前面により露出開口を遮蔽している。
【０００４】
また、特許文献１では、フロントパネルに形成されたトレーの出入口（本件の露出開口）を、第１，第２ドア（本件のシャッタ）で開閉し、トレーの移動に連動して、第１，第２ローラ及び第１，第２レバーを介して、第１，第２ドアを開閉して出入口を開閉するようにしたディスクドライブのドア装置が提案されている。
【特許文献１】特開２００５−６３６４２号公報
【発明の開示】
【発明が解決しようとする課題】
【０００５】
しかしながら、特許文献１では、第１，第２ドアを閉位置で保持する機構がないため、ユーザが第１，第２ドアを押圧すると、第１，第２ドアが開放してしまうという問題があった。さらには、第１，第２ドアの開閉機構が複雑になってしまうという問題があった。
【０００６】
本発明は、上記課題を解決するためになされたものであり、カムにより、シャッタの開閉動作及び閉じ位置での保持を行い、シャッタの開閉機構を簡素化することができるディスクプレーヤを提供することを目的とする。
【課題を解決するための手段】
【０００７】
上記目的を達成するために、本発明のディスクプレーヤは、ディスクの着脱時に外部に露出される露出位置と前記ディスクの再生時に内部に収納される収納位置とで移動するディスクトレイと、前記ディスクトレイを移動させる移動手段と、前記ディスクトレイを外部に露出可能にする露出開口が形成された本体ケースと、を備えたディスクプレーヤにおいて、前記本体ケース内部に設けられ、前記露出開口を開放する開放位置と前記露出開口を遮蔽する閉位置とで開閉するシャッタと、前記シャッタを開閉可能に支持する支持部材、及び前記シャッタを開閉させる変位可能なカムを有する開閉手段と、前記シャッタを開閉するために操作する開閉スイッチと、を備え、前記開閉手段は、前記開閉スイッチが操作されたことに応答して、前記カムを変位させて前記シャッタを開閉させることを特徴とする。なお、前記ディスクとしては、ＣＤ、ＤＶＤ等が挙げられる。また、前記カムの変位としては、移動、回動等が挙げられるが、前記カムは回動可能であることが好ましい。さらに、前記開閉手段は、前記カムを変位させる変位部材、例えばモータ等を有することが好ましい。
【０００８】
また、前記カムは、前記シャッタが前記閉位置に位置するときに、前記シャッタを開閉不能に保持することが好ましい。
【０００９】
さらに、前記シャッタの位置を検出するシャッタ位置検出手段を備え、前記移動手段は、前記開閉スイッチが操作されたときには、前記シャッタ位置検出手段で前記シャッタが前記開放位置に位置することが検出されたことに応答して、前記ディスクトレイを移動させることが好ましい。
【００１０】
また、前記ディスクトレイの位置を検出するトレイ位置検出手段を備え、前記開閉手段は、前記開閉スイッチが操作されたときには、前記トレイ位置検出手段で前記ディスクトレイが前記収納位置に位置することが検出されたことに応答して、前記シャッタを開閉させることが好ましい。
【００１１】
さらに、前記シャッタは、前記閉位置に位置するときに前記露出開口に挿入される挿入部を有することが好ましい。また、前記カムは、前記シャッタを前記閉位置から前記開放位置に開放させるときに、前記シャッタを後方に移動させた後に回動させることが好ましい。
【発明の効果】
【００１２】
本発明のディスクプレーヤによれば、ディスクの着脱時に外部に露出される露出位置とディスクの再生時に内部に収納される収納位置とで移動するディスクトレイと、ディスクトレイを移動させる移動手段と、ディスクトレイを外部に露出可能にする露出開口が形成された本体ケースと、本体ケース内部に設けられ、露出開口を開放する開放位置と露出開口を遮蔽する閉位置とで開閉するシャッタと、シャッタを開閉可能に支持する支持部材、及びシャッタを開閉させる変位可能なカムを有する開閉手段と、シャッタを開閉するために操作する開閉スイッチと、を備え、開閉手段は、開閉スイッチが操作されたことに応答して、カムを変位させて前記シャッタを開閉させるから、カムにより、シャッタの開閉動作を行うことができ、シャッタの開閉機構を簡素化することができる。
【００１３】
また、カムは、シャッタが閉位置に位置するときに、シャッタを開閉不能に保持するから、ユーザがシャッタを閉位置から開放位置に向けて開放しようと押圧しても、シャッタが開閉することがない。
【００１４】
さらに、シャッタの位置を検出するシャッタ位置検出手段を備え、移動手段は、開閉スイッチが操作されたときには、シャッタ位置検出手段でシャッタが開放位置に位置することが検出されたことに応答して、ディスクトレイを移動させるから、ディスクトレイの移動時においても、ディスクトレイとシャッタとが接触することがない。
【発明を実施するための最良の形態】
【００１５】
図１及び図２に本発明を用いたディスクプレーヤの１実施例であるＣＤプレーヤ２の外観を示す。ＣＤプレーヤ２は、ＣＤ（ディスク）３にアクセスしてＣＤ３に記録されたデータの再生を行うものである。ＣＤプレーヤ２の本体ケース４の内部には、レーザ光を照射してＣＤ３にアクセスする光ピックアップ、ＣＤ３を回転させるスピンドルモータ、チャッキングコア、ＣＤ３が装填されるディスクトレイ５、ディスクトレイ５の位置を検出するトレイ位置検出センサ（トレイ位置検出手段）、回路基板等を含む公知のプレーヤユニット６が組み込まれている。ディスクトレイ５は、ＣＤ３の外径に対応した窪みが形成されており、ディスクトレイ５の窪みに合わせてＣＤ３を装填すると、チャッキングコアがＣＤ３のチャック孔３ａに係合してＣＤ３を保持する。
【００１６】
本体ケース４の前面には、ディスクトレイ５を外部に露出するための露出開口７が形成されており、露出開口７の下方には、ＬＣＤ８、シャッタ１０開閉用の開閉スイッチ９が設けられている。また、ＬＣＤ８の周辺には、再生スイッチや停止スイッチ等の各種スイッチが設けられており、これら開閉スイッチ９を含む複数のスイッチは、ＣＤプレーヤ２の主制御を行う制御部２５（図４参照）に接続されている。
【００１７】
ディスクトレイ５は、ＣＤ３再生時に本体ケース４内部に収納される収納位置（図１参照）と、本体ケース４外部に露出される露出位置（図２参照）との間で移動可能に設けられており、モータ等を含む移動機構（図示せず）により移動される。ディスクトレイ５を移動させるときには、開閉スイッチ９を操作する。詳しくは後述するように、開閉スイッチ９を操作して、シャッタ１０が開放位置に位置することが検出されたことに応答して、ディスクトレイ５は移動される。ディスクトレイ５が収納位置に位置するときに開閉スイッチ９を操作すると、ディスクトレイ５が露出位置まで移動し、ディスクトレイ５が露出位置に位置するときに開閉スイッチ９を操作すると、ディスクトレイ５が収納位置まで移動する。プレーヤユニット６のトレイ位置検出センサは、制御部２５に接続されており、ディスクトレイ５が収納位置に位置するときには収納信号を、ディスクトレイ５が露出位置に位置するときには露出信号を、制御部２５に出力する。本実施形態では、ディスクトレイ５を移動させる移動手段は、移動機構と制御部２５とから構成されている。
【００１８】
図３及び図４に示すように、本体ケース４内部には、シャッタ１０が配設されており、シャッタ１０は、露出開口７を開放する開放位置と露出開口７を遮蔽する遮蔽位置（閉位置）とで開閉可能に設けられている。シャッタ１０は、遮蔽位置に位置するときに露出開口７に挿入される挿入板１１と、挿入板１１の後方に固着された略コ字状の開閉板１２とからなる。挿入板１１は、露出開口７の外周よりも大きい外周のベース１１ａに、露出開口７の外周と略一致する挿入部１１ｂが形成されている。開閉板１２の図３における右側面には、第１右挿通ピン１２ａ及び第２右挿通ピン１２ｂが取り付けられており、開閉板１２の図３における左側面には、第１左挿通ピン１２ｃ及び第２左挿通ピン１２ｄが取り付けられている。
【００１９】
本体ケース４内部には、シャッタ１０を変位自在に支持するための右支持板（支持部材）１３及び左支持板（支持部材）１４が取り付けられている。右支持板１３には、第１右挿通ピン１２ａを挿通するための第１右挿通孔１３ａ、第２右挿通ピン１２ｂを挿通するための第２右挿通孔１３ｂが形成されている。右支持板１３には、右カム１５を回動可能に支持するための右支持ピン１６が取り付けられている。
【００２０】
右カム１５は、円盤状に形成され、第１右挿通ピン１２ａが挿通される右カム孔１５ａ、右取付孔１５ｂ、右連結ボス１５ｃが形成されている。右連結ボス１５ｃには、右連結孔１５ｄが形成されており、右連結孔１５ｄは略Ｄ字状に形成されている。右カム１５には、右カム孔１５ａの周囲を覆う右カバー凸部１５ｅが形成されている。右カム１５を右支持板１３に取り付ける場合には、第１右挿通ピン１２ａが右カム孔１５ａに挿通されるように、右支持ピン１６に右カム１５の右取付孔１５ｂを挿通させ、ワッシャ等を右支持ピン１６の先端部に形成された溝に挿入する。これにより、右カム１５は、回動可能に右支持板１３に取り付けられる。
【００２１】
左支持板１４には、第１左挿通ピン１２ｃを挿通するための第１左挿通孔１４ａ、第２左挿通ピン１２ｄを挿通するための第２左挿通孔１４ｂが形成されている。左支持板１４には、左ギアカム１７を回動可能に支持するための左支持ピン１８、第２ギア２２の支軸となる軸ピン１９が取り付けられている。
【００２２】
左ギアカム１７は、円盤状に形成され、外周にはギアが形成されている。左ギアカム１７には、第１左挿通ピン１２ｃが挿通される左カム孔１７ａ、左取付孔１７ｂ、左連結ボス１７ｃが形成されている。左連結ボス１７ｃには、左連結孔１７ｄが形成されており、左連結孔１７ｄは略Ｄ字状に形成されている。左ギアカム１７には、左カム孔１７ａの周囲を覆う左カバー凸部１７ｅ、第１スイッチ押圧ボス１７ｆ、第２スイッチ押圧ボス１７ｇが形成されている。左ギアカム１７を左支持板１４に取り付ける場合には、第１左挿通ピン１２ｃが左カム孔１７ａに挿通されるように、左支持ピン１８に左ギアカム１７の左取付孔１７ｂを挿通させ、ワッシャ等を左支持ピン１８の先端部に形成された溝に挿入する。これにより、左ギアカム１７は、回動可能に左支持板１４に取り付けられる。
【００２３】
左支持板１４には、モータ２３のモータシャフト２３ａを挿通するためのシャフト挿通孔１４ｃ、モータ２３を取り付けるための２個のモータ取付孔１４ｄ、シャッタ位置検出スイッチ（シャッタ位置検出手段）２４を取り付けるためのスイッチ取付孔１４ｅが形成されている。
【００２４】
モータ取付孔１４ｄを介して、ビスをモータ２３にビス締めすると、モータ２３は左支持板１４に取り付けられる。そして、モータシャフト２３ａに第１ギア２１を圧入し、軸ピン１９に第２ギア２２を回動可能に取り付けると、第１ギア２１と第２ギア２２とが噛合し、第２ギア２２と左ギアカム１７のギアとが噛合する。これにより、モータ２３の駆動によりモータシャフト２３ａが回動すると、左ギアカム１７が回動することとなる。また、左ギアカム１７のギア外周は第１ギア２１に比べて大きく形成され、第２ギア２２は２段ギアで形成されており、左ギアカム１７の回動は、モータシャフト２３ａの回動に対して適度に減速するようにされている。これにより、左ギアカム１７を緩やかに回動させることができる。
【００２５】
シャッタ位置検出スイッチ２４は、スイッチベース２４ａと、スイッチベース２４ａに回動可能に取り付けられた回動部２４ｂとからなり、スイッチベース２４ａには、取付孔２４ｃが形成されている。回動部２４ｂは、バネ（図示せず）により時計方向に付勢され、さらには、図４及び図８に示す位置よりも時計方向に回動されないように規制されている。ビスを、取付孔２４ｃを介して左支持板１４のスイッチ取付孔１４ｅにビス締めすると、シャッタ位置検出スイッチ２４は左支持板１４に取り付けられる。シャッタ位置検出スイッチ２４は、ＣＤプレーヤ２の主制御を行う制御部２５に接続されており、回動部２４ｂの回動位置に応じて異なる位置信号（閉位置信号、開放位置信号）を制御部２５に出力する。詳しくは、回動部２４ｂの腕部が、上下方向の中心線に対して右側に傾斜されているときには閉位置信号を、左側に傾斜されているときには開放位置信号を、制御部２５に出力する。
【００２６】
モータ２３は、モータドライバを介してＣＤプレーヤ２の主制御を行う制御部２５に接続されており、制御部２５によって駆動が制御される。制御部２５は、開閉スイッチ９を操作したときに入力される開閉信号に応じて、モータ２３を駆動する。このとき、制御部２５は、シャッタ位置検出スイッチ２４から入力される位置信号の種類に応じて、モータシャフト２３ａの回動方向を決定する。本実施形態では、シャッタ位置検出スイッチ２４から、シャッタ１０が閉じている状態を示す閉位置信号が入力されているときには、シャッタ１０を開放するように、モータシャフト２３ａを図４中Ａ方向に回動させ、シャッタ位置検出スイッチ２４から、シャッタ１０が開放している状態を示す開放位置信号が入力されているときには、シャッタ１０を閉じるように、モータシャフト２３ａを図４中Ｂ方向に回動させるようにされている。
【００２７】
右カム１５と左ギアカム１７とは、金属製の連結シャフト２７により連結されている。連結シャフト２７は、両端部にそれぞれ略Ｄ字状の挿入部２７ａが形成されており、この挿入部２７ａには、ビス締め凹部２７ｂが形成されている。挿入部２７ａを、右カム１５の右連結孔１５ｄと左ギアカム１７の左連結孔１７ｄとに挿入し、ビスをビス締め凹部２７ｂにビス締めすると、右カム１５と左ギアカム１７とは連結される。なお、挿入部２７ａと右連結孔１５ｄと左連結孔１７ｄとを、略Ｄ字状に形成したから、連結シャフト２７が空転することがない。これにより、右カム１５と左ギアカム１７とを常に正規の位置関係で連結することができる。さらには、連結シャフト２７を金属製の部材から構成したから、連結シャフト２７は、捻じられる方向の力が加わった場合にも、変形することがない。これにより、より一層確実に右カム１５と左ギアカム１７とを常に正規の位置関係で連結することができる。
【００２８】
本実施形態では、シャッタ１０を開閉させる開閉手段は、右支持板１３、左支持板１４、右カム１５、左ギアカム１７、第１ギア２１、第２ギア２２、モータ２３、制御部２５、連結シャフト２７を備えて構成されている。
【００２９】
図５に示すように、左ギアカム１７の左カム孔１７ａは、シャッタ１０が遮蔽位置に位置するときに第１左挿通ピン１２ｃが挿通される位置から反時計方向に向かうにしたがって、左ギアカム１７の回動中心である左取付孔１７ｂに近付くように形成されている。また、左カム孔１７ａは、角度範囲ＡＲ１が左取付孔１７ｂと同心円で形成され、角度範囲ＡＲ２が角度範囲ＡＲ１とは異なる中心（ＣＰ１）で形成され、角度範囲ＡＲ３が角度範囲ＡＲ２とは異なる中心（ＣＰ２）で形成され、角度範囲ＡＲ４が左取付孔１７ｂと同心円で形成されている。角度範囲ＡＲ１は、シャッタ１０を押しても左ギアカム１７が回動しないように形成されている。これにより、シャッタ１０が遮蔽位置に位置するときには、シャッタ１０は変位不能に保持される。右カム１５も、左ギアカム１７と同様に右カム孔１５ａが形成されている。なお、左カム孔１７ａの形状は、シャッタ１０を開放位置と遮蔽位置との間で変位させるために必要な変位量に応じて、適宜変更されるものである。
【００３０】
図６及び図７に示すように、左支持板１４に、シャッタ１０、左ギアカム１７、第１ギア２１、第２ギア２２、モータ２３、シャッタ位置検出スイッチ２４を取り付けるときには、先ず、シャッタ１０の開閉板１２の第１左挿通ピン１２ｃを第１左挿通孔１４ａに、第２左挿通ピン１２ｄを第２左挿通孔１４ｂに、それぞれ挿通させ（図６（Ａ）参照）、シャフト挿通孔１４ｃを介して、ビスをモータ２３にビス締めしてモータ２３を左支持板１４に取り付け（図６（Ｂ）参照）、モータシャフト２３ａに第１ギア２１を圧入する（図６（Ｃ）参照）。
【００３１】
次に、軸ピン１９に第２ギア２２を回動可能に取り付け（図７（Ａ）参照）、第１左挿通ピン１２ｃが左カム孔１７ａに挿通されるように、左支持ピン１８に左ギアカム１７の左取付孔１７ｂを挿通させ、左ギアカム１７を回動可能に左支持板１４に取り付ける（図７（Ｂ）参照）。この状態では、第１ギア２１と第２ギア２２とが噛合し、第２ギア２２と左ギアカム１７のギアとが噛合する。そして、ビスを、シャッタ位置検出スイッチ２４の取付孔２４ｃを介してスイッチ取付孔１４ｅにビス締めして、シャッタ位置検出スイッチ２４を左支持板１４に取り付け、右カム１５と左ギアカム１７とを、連結シャフト２７により連結する（図７（Ｃ）参照）。
【００３２】
図８及び図９に、シャッタ１０が遮蔽位置から開放位置まで変位する過程を示す。図８（Ａ）に示すように、シャッタ１０が遮蔽位置に位置するときには、シャッタ１０の挿入板１１の挿入部１１ｂが露出開口７に挿入され、露出開口７は遮蔽されている。さらに、シャッタ位置検出スイッチ２４の回動部２４ｂは、開閉板１２の第２スイッチ押圧ボス１７ｇにより図８における右側に傾斜されており、シャッタ位置検出スイッチ２４から制御部２５に閉位置信号が入力されている。ユーザが開閉スイッチ９を操作すると、制御部２５に開閉信号が入力される。制御部２５は、閉位置信号が入力されているときに開閉信号が入力されたことに応答して、モータシャフト２３ａを図４中Ａ方向に回動させるようにモータ２３を駆動する。なお、図８及び図９においては、左支持板１４とシャッタ位置検出スイッチ２４とを簡略化して図示している。
【００３３】
モータシャフト２３ａが図４中Ａ方向に回動すると、第１ギア２１、第２ギア２２を介して左ギアカム１７が図８中Ａ方向に回動する。図８（Ｂ）に示すように、第１左挿通ピン１２ｃが角度範囲ＡＲ１（図５参照）に位置するときには、左ギアカム１７が回動してもシャッタ１０は変位しないため、露出開口７は遮蔽されている。
【００３４】
図９（Ａ）に示すように、第１左挿通ピン１２ｃが角度範囲ＡＲ２に位置するまで左ギアカム１７が回動されると、シャッタ１０は、左ギアカム１７の回動により後方（図９における左方向）に移動し、挿入部１１ｂが露出開口７から離脱する。図９（Ｂ）に示すように、第１左挿通ピン１２ｃが角度範囲ＡＲ３に位置するまで左ギアカム１７が回動されると、シャッタ１０は、第２左挿通ピン１２ｄを中心にして、図９中Ｂ方向に回動される。そして、第１左挿通ピン１２ｃが角度範囲ＡＲ４に位置するまで左ギアカム１７が回動されると、露出開口７は、ディスクトレイ５が露出開口７から外部に露出可能になるように、完全に開放される。このとき、シャッタ位置検出スイッチ２４の回動部２４ｂは、第１スイッチ押圧ボス１７ｆにより図９における左側に傾斜されており、シャッタ位置検出スイッチ２４から制御部２５に開放位置信号が入力されている。そして、制御部２５は、シャッタ位置検出スイッチ２４から開放位置信号が入力されたことに応答して、移動機構（図示せず）を駆動して、ディスクトレイ５を露出位置（図２参照）まで移動させる。この状態で、ユーザは、ＣＤ３を着脱する。
【００３５】
図９（Ｂ）に示すように、シャッタ１０が開放位置に位置するときには、露出開口７は開放され、さらに、シャッタ位置検出スイッチ２４から制御部２５に開放位置信号が入力されている。この状態のときに、ユーザが開閉スイッチ９を操作すると、制御部２５に開閉信号が入力され、制御部２５は、開放位置信号が入力されているときに開閉信号が入力されたことに応答して、移動機構を駆動して、ディスクトレイ５を収納位置（図１参照）まで移動させる。ディスクトレイ５が収納位置まで移動すると、トレイ位置検出センサから制御部２５に収納信号が入力される。制御部２５は、収納信号が入力されたことに応答して、モータシャフト２３ａを図４中Ｂ方向に回動させるようにモータ２３を駆動する。
【００３６】
モータシャフト２３ａが図４中Ｂ方向に回動すると、左ギアカム１７が図８及び図９中Ｂ方向に回動し、それに応じてシャッタ１０は、第２左挿通ピン１２ｄを中心にして図９中Ａ方向に回動され、その後に前方（図８及び図９における右方向）に移動し、挿入部１１ｂが露出開口７に挿入される。これにより、露出開口７は遮蔽される。
【００３７】
上記のように構成されたＣＤプレーヤ２の作用について説明する。シャッタ１０は、遮蔽位置に位置するときには、左ギアカム１７によって開閉不能に保持されている。ユーザは、ＣＤ３を交換する場合には、開閉スイッチ９を操作する。開閉スイッチ９を操作すると、制御部２５は、モータ２３を駆動して、シャッタ１０を遮蔽位置から開放位置まで変位させる。その後、制御部２５は、シャッタ位置検出スイッチ２４からシャッタ１０が開放位置に位置することを示す開放位置信号が入力されたことに応答して、移動機構（図示せず）を駆動して、ディスクトレイ５を収納位置から露出位置まで移動させる。この状態でユーザはＣＤ３を交換する。
【００３８】
このように、シャッタ１０は、遮蔽位置に位置するときには、左ギアカム１７により開放不能に保持されるから、ユーザがシャッタ１０を押してもシャッタ１０が開放することがなく、露出開口７の遮蔽を確実に行うことができる。さらに、左ギアカム１７の回動によってシャッタ１０を遮蔽位置と開放位置との間で開閉させることができるから、簡単な構成でシャッタ１０を開閉させることができる。
【００３９】
また、シャッタ１０の挿入部１１ｂを露出開口７に挿入するようにしたから、露出開口７の遮蔽を密に行うことができ、露出開口７からＣＤプレーヤ２内部への異物や塵埃の侵入を確実に防止することができる。
【００４０】
さらに、シャッタ１０を遮蔽位置から開放位置まで変位させるときに、シャッタ１０を後方に移動させた後に回動させるようにしたから、シャッタ１０を回動のみで遮蔽位置と開放位置との間で変位させるものに比べて、露出開口７とシャッタ１０との位置関係を精密にすることができる。
【００４１】
さらに、シャッタ１０の位置を判別するシャッタ位置検出スイッチ２４を設け、制御部２５は、シャッタ位置検出スイッチ２４でシャッタ１０が開放位置に位置することが検出されたことに応答して、移動機構を駆動して、ディスクトレイ５の移動を開始させるようにしたから、ディスクトレイ５とシャッタ１０とが接触することがない。
【００４２】
また、ディスクトレイ５の位置を検出するトレイ位置検出センサを設け、制御部２５は、シャッタ１０が開放しているときには、トレイ位置検出センサでディスクトレイ５が収納位置に位置することが検出されたことに応答して、シャッタ１０を閉じるようにしたから、ディスクトレイ５とシャッタ１０とが接触することがない。
【００４３】
なお、上記実施形態では、右カム１５と左ギアカム１７と連結シャフト２７により連結し、左ギアカム１７の回動を右カム１５に伝達させたが、左ギアカム１７だけでシャッタ１０を回動することができる場合には、右カム１５を設けない構成にしてもよい。
【００４４】
さらに、上記実施形態では、左ギアカム１７を回動させてシャッタ１０を変位させたが、これに限定されることなく、カムを移動可能に設け、カムの移動によりシャッタ１０を変位させるようにしてもよく、適宜変更可能である。
【００４５】
また、上記実施形態では、シャッタ位置検出スイッチ２４を設け、回動部２４ｂの回動位置によりシャッタ１０の位置を検出したが、これに限定されることなく、発光部と受光部とを有する光センサでシャッタ１０の位置を検出するようにしてもよく、適宜変更可能である。
【００４６】
さらに、上記実施形態では、モータ２３の回動を、第１ギア２１、第２ギア２２を介して左ギアカム１７に伝達させたが、モータ２３と左ギアカム１７との間に設けるギアの個数は適宜変更可能である。
【００４７】
また、上記実施形態では、ディスクプレーヤとしてＣＤプレーヤ２を例示して説明したが、本発明はこれに限定されることなく、例えばＤＶＤプレーヤ、ＤＶＤレコーダ等にも適用することができる。
【図面の簡単な説明】
【００４８】
【図１】本発明を実施したディスクプレーヤの外観斜視図である。
【図２】ディスクトレイが露出した状態のディスクプレーヤの外観斜視図である。
【図３】シャッタと右支持板と右カムと左ギアカムと連結シャフトとを示す分解斜視図である。
【図４】シャッタと左支持板と左ギアカムと第１ギアと第２ギアとモータと位置検出スイッチとを示す分解斜視図である。
【図５】左ギアカムを示す正面断面図である。
【図６】シャッタと左支持板と第１ギアとモータとを示す斜視図である。
【図７】シャッタと左支持板と左ギアカムと第１ギアと第２ギアとモータと位置検出スイッチとを示す斜視図である。
【図８】シャッタの挿入部が露出開口に挿入された状態のシャッタと左支持板と左ギアカムと位置検出スイッチとを示す側面図である。
【図９】シャッタの挿入部が露出開口から離脱した状態のシャッタと左支持板と左ギアカムと位置検出スイッチとを示す側面図である。
【符号の説明】
【００４９】
２  ＣＤプレーヤ（ディスクプレーヤ）
３  ＣＤ（ディスク）
４  本体ケース
５  ディスクトレイ
６  プレーヤユニット
７  露出開口
９  開閉スイッチ（操作スイッチ）
１０  シャッタ
１１  挿入板
１１ａ  ベース
１１ｂ  挿入部
１２  開閉板
１２ａ  第１右挿通ピン
１２ｂ  第２右挿通ピン
１２ｃ  第１左挿通ピン
１２ｄ  第２左挿通ピン
１３  右支持板（支持部材）
１３ａ  第１右挿通孔
１３ｂ  第２右挿通孔
１４  左支持板（支持部材）
１４ａ  第１左挿通孔
１４ｂ  第２左挿通孔
１５  右カム
１５ａ  右カム孔
１７  左ギアカム
１７ａ  左カム孔
１７ｆ  第１スイッチ押圧ボス
１７ｇ  第２スイッチ押圧ボス
２１  第１ギア
２２  第２ギア
２３  モータ
２４  シャッタ位置検出スイッチ（シャッタ位置検出手段）
２４ｂ  回動部
２５  制御部
【図１】
2007012145.tif 000003
【図２】
2007012145.tif 000004
【図３】
2007012145.tif 000005
【図４】
2007012145.tif 000006
【図５】
2007012145.tif 000007
【図６】
2007012145.tif 000008
【図７】
2007012145.tif 000009
【図８】
2007012145.tif 000010
【図９】
2007012145.tif 000011